【事件の表示】
　商願２００１−　２８６６６拒絶査定不服審判事件について、次のとおり審決する。
【結　論】
　原査定を取り消す。
　本願商標は、登録すべきものとする。
【理　由】
１．本願商標
　本願商標は、別掲１のとおりの構成よりなり、第９類、第３７類、第４１類及び第４２類の商品又は役務を指定商品又は指定役務として、平成１３年３月２９日に登録出願されたものである。その後、指定商品については、同１４年８月２９日及び同１５年６月２日及び同１８年１月２７日付け手続補正書により、第９類「実験室用ロボット及びその部品・附属品，配電用又は制御用の機械器具，回転変流機，調相機，電池，電気磁気測定器，電線及びケーブル，電気通信機械器具，電子応用機械器具及びその部品，電気計算機」、第３７類「電気通信機械器具の修理又は保守，電子計算機（中央処理装置及び電子計算機用プログラムを記憶させた電子回路・磁気ディスクその他の周辺機器を含む。）の修理又は保守，配電用又は制御用の機械器具の修理又は保守，半導体製造装置の修理又は保守，民生用電気機械器具の修理又は保守」、第４１類「電子計算機保守方法の教授，その他の技芸・スポーツ又は知識の教授，研究用教材に関する情報の提供及びその仲介，セミナーの企画・運営又は開催，動物の調教，植物の供覧，動物の供覧，図書及び記録の供覧，美術品の展示，庭園の供覧，洞窟の供覧，映画・演芸・演劇又は音楽の演奏の興行の企画又は運営，映画の上映・制作又は配給，演芸の上演，演劇の演出又は上演，音楽の演奏，放送番組の制作，教育・文化・娯楽・スポーツ用ビデオの制作（映画・放送番組・広告用のものを除く。），放送番組等の制作における演出，映像機器・音声機器等の機器であって放送番組等の制作のために使用されるものの操作，ゴルフの興行の企画・運営又は開催，相撲の興行の企画・運営又は開催，ボクシングの興行の企画・運営又は開催，野球の興行の企画・運営又は開催，サッカーの興行の企画・運営又は開催，競馬の企画・運営又は開催，競輪の企画・運営又は開催，競艇の企画・運営又は開催，小型自動車競走の企画・運営又は開催，当せん金付証票の発売，音響用又は映像用のスタジオの提供，運動施設の提供，娯楽施設の提供，映画・演芸・演劇・音楽又は教育研修のための施設の提供，興行場の座席の手配，映写機及びその附属品の貸与，映写フィルムの貸与，楽器の貸与，スキー用具の貸与，スキンダイビング用具の貸与，テレビジョン受信機の貸与，ラジオ受信機の貸与，図書の貸与，レコード又は録音済み磁気テープの貸与，録画済み磁気テープの貸与，ネガフィルムの貸与，ポジフィルムの貸与，おもちゃの貸与，遊園地用機械器具の貸与，遊戯用器具の貸与，絵画の貸与」及び第４２類「画像処理を利用したＩＣチップ等の精密部品の検査・高精度計測・バーコード読み取りに使用される工業用ロボット及びその制御用コンピュータソフトウエアの設計・試験・研究及びこれらの性能・操作方法等に関する助言・指導・紹介及び説明，画像処理を利用したＩＣチップ等の精密部品の検査・高精度計測・バーコード読み取りに使用される工業用ロボットの制御用コンピュータソフトウエアの更新，ＩＣチップ等の精密部品の検査・高精度計測データの処理・分析・管理，通信ネットワークの設計又は作成，インターネットにおけるホームページの設計・作成，電子計算機のプログラムの設計・作成又は保守」に補正されたものである。
　
２．原査定の拒絶の理由の要旨
 原査定は、「この商標登録出願に係る商標（以下「本願商標」という。）は、下記の登録商標と同一又は類似であって、その商標に係る指定商品（指定役務）と同一又は類似の商品（役務）について使用するものであるから、商標法第４条第１項第１１号に該当する。」旨認定、判断して、本願を拒絶したものである。
（１）登録番号：第０７０６１４９号
出 願 日：昭和３８年５月１４日
登 録 日：昭和４１年５月６日
商 標： ビジョン／ＶＩＳＩＯＮ
商 品： 第１７類の原簿に記載の商品
（２）登録番号：第１９０２９５４号−２
出 願 日：昭和５８年１２月３日
登 録 日：昭和６１年１０月２８日
商 標：ＶＩＳＩＯＮ
商 品：第１２類の原簿に記載の商品
（３）登録番号：第２１２４０３２号
出 願 日：昭和６０年６月２０日
登 録 日：平成１年３月２７日
商 標： ＶＩＳＩＯＮ／ビジョン
商 品：第２４類の原簿に記載の商品
（４）登録番号：第２６６３１１３号
出 願 日：昭和６０年６月２０日
登 録 日：平成６年５月３１日
商 標： ＶＩＳＩＯＮ／ビジョン
商 品：第２４類の原簿に記載の商品
（５）登録番号：第２６６３１１４号
出 願 日：昭和６１年１１月１３日
登 録 日：平成６年５月３１日
商 標：ＶＩＳＩＯＮ
商 品：第２４類の原簿に記載の商品
（６）登録番号：第２７０６２１４号
出 願 日：平成４年１月２３日
登 録 日：平成７年４月２８日
商 標：ＶＩＳＩＯＮ
 商 品：第１２類の原簿に記載の商品
（７）登録番号：第２７２１１７２号
出 願 日：昭和６３年７月２１日
登 録 日：平成９年５月２日
商 標：別掲２のとおり
商 品：第１１類の原簿に記載の商品
（８）登録番号：第３１４５４５６号
出 願 日：平成５年５月１２日
登 録 日：平成８年４月３０日
商 標：Ｖｉｓｉｏｎ
商 品：第２５類の原簿に記載の商品
（９）登録番号：第３３５２３９７号
出 願 日：平成６年７月１３日
登 録 日：平成９年１０月１７日
商 標：ＶＩＳＩＯＮ
商 品：第３７類の原簿に記載の商品
（１０）登録番号：第３３７０２５１号
出 願 日：平成５年９月７日
登 録 日：平成１０年９月２５日
商 標：別掲３のとおり
商 品：第９類の原簿に記載の商品
（１１）登録番号：第３３７１３２１号
出 願 日：平成５年９月７日
登 録 日：平成１１年９月２４日
商 標：別掲４のとおり
商 品：第９類の原簿に記載の商品
（１２）登録番号：第４０２７６５８号
出 願 日：平成６年７月１３日
登 録 日：平成９年７月１１日
商 標：ＶＩＳＩＯＮ
商 品：第４２類の原簿に記載の役務
（１３）登録番号：第４０９１９６３号
出 願 日：平成２年１１月２２日
登 録 日：平成９年１２月１２日
商 標：ＶＩＳＩＯＮ
商 品：第２６類の原簿に記載の商品
（１４）登録番号：第４１４７８６８号
出 願 日：平成７年９月１４日
登 録 日：平成１０年５月２２日
商 標：ビジョン
商 品：第９類の原簿に記載の商品
（１５）登録番号：第４１４７８６９号
出 願 日：平成７年９月１４日
登 録 日：平成１０年５月２２日
商 標：ＶＩＳＩＯＮ
商 品：第９類の原簿に記載の商品
（１６）登録番号：第４１６７４３０号
出 願 日：平成１年２月２８日
登 録 日：平成１０年７月１７日
商 標：ＶＩＳＩＯＮ
商 品：第１０類の原簿に記載の商品
（１７）登録番号：第４２１７９９３号
出 願 日：平成７年９月１４日
登 録 日：平成１０年１２月４日
商 標：ビジョン
商 品：第４２類の原簿に記載の役務
（１８）登録番号：第４２１７９９４号
出 願 日：平成７年９月１４日
登 録 日：平成１０年１２月４日
商 標：ＶＩＳＩＯＮ
商 品：第４２類の原簿に記載の役務
（１９）登録番号：第４２３９６９７号
出 願 日：平成８年年５月１６日
登 録 日：平成１１年２月１２日
商 標：別掲５のとおり
商 品：第４２類の原簿に記載の役務
（２０）登録番号：第４２８５７３２号
出 願 日：平成８年５月１６日
登 録 日：平成１１年６月１８日
商 標：別掲５のとおり
商 品：第９類の原簿に記載の商品
以下、これらをまとめて「引用商標」という。
　
３．当審の判断
　本願商標は、上記のとおりの構成よるなるところ、その構成全体は、上段に顕著に「ＡＣＴＩ」と「ＴＯＯＬＳ」を青で、中央部にデザイン化された「Ｖ」を赤で表し、その下に小さく「ＶＩＳＩＯＮ」の文字を赤で表すことによって、まとまりよく一体のものとして把握される。また、「Ｖ」と「ＶＩＳＩＯＮ」とを共に赤で表すことによって、「Ｖ」の部分が「ＶＩＳＩＯＮ」の頭文字を表したものと理解される場合も少なくない。
　そうとすれば、本願商標は、その構成文字全体に相応して「アクティブツールズビジョン」及び「アクティビジョンツールズ」の称呼を生ずるものというのが相当である。
　一方、引用各商標は、前記のとおりの構成よりなるところ、その構成中の「ＶＩＳＩＯＮ」及び「ビジョン」の文字部分より「ビジョン」の称呼を生ずるものである。
　そうとすれば、本願商標より「ビジョン」の称呼をも生ずることを前提に、本願商標と引用各商標とが称呼上類似し、本願商標が商標法第４条第１項第１１号に該当するとした、原査定の拒絶の理由は妥当でなく、取消しを免れない。
その他、政令で定める期間内に本願について拒絶の理由を発見しない。
よって、結論のとおり審決する。